(57)【要約】【課題】入力端子および出力端子、ならびにＴＶ端子を有する直列ユニットにおいて、前記入力端子および前記出力端子に同軸ケーブルを接続するときの作業性を向上させる。【解決手段】中心コンタクトおよびその周囲に設けられた外部コンタクトを備える入力端子および出力端子、ならびにＴＶ端子と、前記入力端子および前記出力端子、ならびに前記ＴＶ端子を支持するユニット筐体からなり、前記入力端子および前記出力端子、ならびに前記ＴＶ端子の前記中心コンタクト同士、および前記外部コンタクト同士が電気的に接続された直列ユニットであって、前記入力端子および前記出力端子は、前記ユニット筐体との接続部を支点として回転する直列ユニットである。【選択図】　　　　図８
2004039343.tif 000002
【特許請求の範囲】
【請求項１】
中心コンタクトおよびその周囲に設けられた外部コンタクトを備える入力端子および出力端子、ならびにＴＶ端子と、前記入力端子および前記出力端子、ならびに前記ＴＶ端子を支持するユニット筐体からなり、前記入力端子および前記出力端子、ならびに前記ＴＶ端子の前記中心コンタクト同士、および前記外部コンタクト同士が電気的に接続された直列ユニットであって、
前記入力端子および前記出力端子は、前記ユニット筐体との接続部を支点として回転することを特徴とする直列ユニット。
【請求項２】
前記入力端子および前記出力端子は、前記中心コンタクト同士の電気的接続および前記外部コンタクト同士の電気的接続を保ちながら回転することを特徴とする請求項１に記載の直列ユニット。
【請求項３】
中心コンタクトおよびその周囲に設けられた外部コンタクトを備える入力端子および出力端子、ならびにＴＶ端子と、前記入力端子および前記出力端子、ならびに前記ＴＶ端子を支持するユニット筐体とを備え、前記入力端子および前記出力端子、ならびに前記ＴＶ端子の前記中心コンタクト同士、および前記外部コンタクト同士が電気的に接続された直列ユニットであって、
前記入力端子および前記出力端子の前記外部コンタクトは、
円筒状導体部の一端に、前記円筒状導体部の中心軸と直交する軸の１つが回転軸となるような一対の突起を有し、かつ、前記突起の一方あるいは両方と前記円筒状導体部とを連通するように開口されており、
前記入力端子および前記出力端子の前記中心コンタクトは、前記円筒状導体部の中心軸に沿って設けられた第１中心コンタクトと、前記第１中心コンタクトと電気的に接続され、かつ、前記外部コンタクトの突起の開口端から突出した第２中心コンタクト（中心コンタクト連結ピン）とからなり、
前記ユニット筐体は、前記入力端子および前記出力端子の、前記外部コンタクトの突起部分を支持していることを特徴とする直列ユニット。
【請求項４】
前記第１中心コンタクトは、両端にバネ性をもつメス受け部を有し、前記第１中心コンタクトの一方のメス受け部に、前記第２中心コンタクトが挿入されていることを特徴とする請求項３に記載の直列ユニット。
【請求項５】
前記第１中心コンタクトは、絶縁性のブッシュにより前記外部コンタクトの円筒状導体部の中心軸の近傍に支持されており、前記第２コンタクトは、絶縁性のスペーサーにより前記回転軸上に支持されていることを特徴とする請求項４に記載の直列ユニット。
【発明の詳細な説明】
【０００１】
【発明の属する技術分野】
本発明は、直列ユニットに関し、特に、ＴＶ信号受信用の直列ユニットに適用して有効な技術に関するものである。
【０００２】
【従来の技術】
従来、屋外に設置されたテレビアンテナやケーブルテレビ（ＣＡＴＶ）用の中継器（分配器）に接続された同軸ケーブルを屋内に引き込むときには、例えば、直列ユニットが用いられる。
【０００３】
前記直列ユニットは、例えば、図１４および図１５に示すように、入力端子１および出力端子２、ならびにＴＶ端子３Ａ，３Ｂと、前記入力端子１および前記出力端子２、ならびに前記ＴＶ端子３Ａ，３Ｂを一体的に支持するユニット筐体４とを備えている。また、図示は省略するが、前記直列ユニットには、前記建物の壁に取り付けるための取り付け枠が設けられている。このとき、前記取り付け枠は、例えば、前記ユニット筐体４の側面部に設けられた突起５Ａに爪を引っ掛けるようにして固定している。
【０００４】
このとき、前記入力端子１および出力端子２は、例えば、屋外のアンテナや中継器（分配器）に接続された同軸ケーブルや、他の直列ユニットと接続する同軸ケーブルを接続する端子であって、中心コンタクト（図示しない）の周囲に円筒状の外部コンタクト１０２，２０２が設けられている。また、前記ＴＶ端子３Ａ，３Ｂは、例えば、屋内にあるＴＶ受像機などの端子と接続された同軸ケーブルを接続する端子であって、図１４に示すように、中心コンタクト３０１Ａ，３０１Ｂの周囲にそれぞれ、円筒状の外部コンタクト３０２Ａ，３０２Ｂが設けられている。
【０００５】
また、前記入力端子１および前記出力端子２、ならびに前記ＴＶ端子３Ａ，３Ｂのそれぞれの前記中心コンタクトは、例えば、バネ性をもつメス受け部を有し、前記外部コンタクトの外周面にはねじが切ってある。
【０００６】
また、前記直列ユニットでは、前記入力端子１および前記出力端子２、ならびに前記ＴＶ端子３Ａ，３Ｂの中心コンタクト同士は、前記ユニット筐体４の内部に設けられたプリント配線板を介して電気的に接続されている。また、前記入力端子１および前記出力端子２、ならびに前記ＴＶ端子３Ａ，３Ｂの外部コンタクトは、前記ユニット筐体４と一体的に形成されており、前記ユニット筐体４を介して電気的に接続されている。
【０００７】
前記直列ユニットは、通常、建物の壁に埋め込むように取り付けられる。このとき、図１６に示すように、前記壁１１には、前記直列ユニットを埋め込むための埋め込みボックス１２が取り付けられており、前記埋め込みボックス１２の開口部から前記アンテナや中継器（分配器）に接続された同軸ケーブル１３が引き出されている。
【０００８】
前記直列ユニットを前記壁１１に取り付けるときには、前記埋め込みボックス１２に設けられた開口部から引き出された同軸ケーブル１３を、図１６に示すように、前記直列ユニットの入力端子１および出力端子２に接続した後、前記直列ユニットに設けられた取り付け枠１４をねじ１５により前記埋め込みボックス１２に固定する。このとき、前記取り付け枠１４は、前記ユニット筐体４の側面に設けられた突起５Ａと対応する部分に爪１４Ａが設けられており、前記取り付け枠１４の爪１４Ａを前記ユニット筐体４の突起５Ａに引っ掛けて固定しておく。
【０００９】
また、前記入力端子１および前記出力端子２は、図１６に示したように、壁１１に取り付けた前記埋め込みボックス１２に埋め込んだ状態になるので、前記入力端子１および前記出力端子２は、図１６に示したように、同軸ケーブル１３がふくらまないような位置に設けられている。
【００１０】
このとき、前記壁１１に前記直列ユニットを取り付けた状態では、前記取り付け枠１４、言い換えると前記直列ユニットを埋め込んだ部分が露出した状態になっている。そのため、例えば、図１６に示したように、化粧パネル１６および化粧プレート１７を取り付けて前記直列ユニットを埋め込んだ部分を隠す。このとき、図示は省略するが、前記化粧パネル１６は、例えば、前記ユニット筐体４の側面に設けられた突起５Ｂと対応する部分に爪（図示しない）が設けられており、前記化粧パネル１６の爪を前記ユニット筐体４の突起５Ｂに引っ掛けて固定する。
【００１１】
また、前記直列ユニットを利用して、例えば、ＣＡＴＶ網でインターネット接続を行う場合には、電気ノイズの影響を受けやすい。そのため、フィルタ回路を挿入したり、前記フィルタ回路のオン／オフをするためのスイッチを設けた直列ユニットが提案されている。
【００１２】
【発明が解決しようとする課題】
しかしながら、前記従来の技術では、前記入力端子１および前記出力端子２に前記同軸ケーブル１３を接続するときには、一般に、前記同軸ケーブル１３が簡単に抜けないように、ナットなどを用いてねじ止めするが、前記入力端子１および前記出力端子２の横に前記ユニット筐体４があるため、従来の直列ユニットでは、前記同軸ケーブル１３の接続が難しいという問題があった。
【００１３】
また、前記直列ユニットの前記入力端子１および前記出力端子２に前記同軸ケーブル１３を接続するときには、前記埋め込みボックス１２から取り出された同軸ケーブル１３を引き出した状態で接続する。その後、前記埋め込みボックス１２から引き出した分を引き戻して前記取り付け枠１４と前記埋め込みボックス１２をねじ止めする。このとき、従来の直列ユニットでは、前記入力端子１および前記出力端子２が、前記ユニット筐体４と一体的に形成されているので、前記取り付け枠１４と前記埋め込みボックス１２をねじ止めするときに、前記同軸ケーブル１３を壁１１の内側に戻す作業の作業性が悪いという問題があった。
【００１４】
本発明の目的は、入力端子および出力端子、ならびにＴＶ端子を有する直列ユニットにおいて、前記入力端子および前記出力端子に同軸ケーブルを接続するときの作業性を向上させることが可能な技術を提供することにある。
【００１５】
本発明の他の目的は、入力端子および出力端子、ならびにＴＶ端子を有する直列ユニットを建物の壁に取り付けるときの作業性を向上させることが可能な技術を提供することにある。
【００１６】
本発明の前記ならびにその他の目的と新規な特徴は、本明細書の記述及び添付図面によって明らかになるであろう。
【００１７】
【課題を解決するための手段】
本願において開示される発明の概要を説明すれば、以下の通りである。
【００１８】
（１）中心コンタクトおよびその周囲に設けられた外部コンタクトを備える入力端子および出力端子、ならびにＴＶ端子と、前記入力端子および前記出力端子、ならびに前記ＴＶ端子を支持するユニット筐体からなり、前記入力端子および前記出力端子、ならびに前記ＴＶ端子の前記中心コンタクト同士、および前記外部コンタクト同士が電気的に接続された直列ユニットであって、前記入力端子および前記出力端子は、前記ユニット筐体との接続部を支点として回転する直列ユニットである。
【００１９】
前記（１）の手段によれば、前記入力端子および前記出力端子が回転するため、前記入力端子および前記出力端子に同軸ケーブルを取り付けるときには取り付けやすい方向に向けることができ、前記同軸ケーブルを取り付けた後、前記直列ユニットを建物の壁に取り付けるときにはケーブルが邪魔にならない方向に向けることができる。
【００２０】
また、前記入力端子および前記出力端子が回転するときに、前記中心コンタクト同士の電気的接続および前記外部コンタクト同士の電気的接続を保ちながら回転するようにすると、前記入力端子および前記出力端子の向きの自由度が高くなり、前記直列ユニットを壁に取り付けるときに、前記同軸ケーブルを壁の内側に戻す作業が容易になる。そのため、前記直列ユニットを壁に取り付けるときの作業性が向上する。
【００２１】
（２）中心コンタクトおよびその周囲に設けられた外部コンタクトを備える入力端子および出力端子、ならびにＴＶ端子と、前記入力端子および前記出力端子、ならびに前記ＴＶ端子を支持するユニット筐体とを備え、前記入力端子および前記出力端子、ならびに前記ＴＶ端子の前記中心コンタクト同士、および前記外部コンタクト同士が電気的に接続された直列ユニットであって、前記入力端子および前記出力端子の前記外部コンタクトは、円筒状導体部の一端に、前記円筒状導体部の中心軸と直交する軸の１つが回転軸となるような一対の突起を有し、かつ、前記突起の一方あるいは両方と前記円筒状導体部とを連通するように開口されており、前記入力端子および前記出力端子の前記中心コンタクトは、前記円筒状導体部の中心軸に沿って設けられた第１中心コンタクトと、前記第１中心コンタクトと電気的に接続され、かつ、前記外部コンタクトの突起の開口端から突出した第２中心コンタクト（中心コンタクト連結ピン）とからなり、前記ユニット筐体は、前記入力端子および前記出力端子の、前記外部コンタクトの突起部分を支持している直列ユニットである。
【００２２】
前記（２）の手段によれば、前記入力端子および前記出力端子の一端に前記突起を設けておき、前記入力端子および前記出力端子を前記突起部分で支持することにより、前記入力端子および前記出力端子を回転させることができる。そのため、前記入力端子および前記出力端子に同軸ケーブルを接続するときには接続しやすい方向に向けることができ、前記直列ユニットを壁に取り付けるときには前記同軸ケーブルが邪魔にならない方向に向けることができ、前記直列ユニットに同軸ケーブルを接続して壁に取り付ける作業の作業性が向上する。
【００２３】
また、前記（２）の手段において、前記中心コンタクトは、例えば、前記第１中心コンタクトに、両端にバネ性をもつメス受け部を有し、前記第１中心コンタクトの一方のメス受け部に、前記第２中心コンタクトが挿入されている。前記第１中心コンタクトのメス受け部に前記第２中心コンタクトを挿入することにより、前記第１中心コンタクトと前記第２中心コンタクトの電気的接続を保ちながら、前記第２中心コンタクトを回転させることができる。またこのとき、前記第１中心コンタクトは、絶縁性のブッシュにより前記外部コンタクトの円筒状導体部の中心軸の近傍に支持し、前記第２中心コンタクトは、絶縁性のスペーサーにより前記回転軸上に支持しておく。
【００２４】
また、前記（２）の手段において、前記中心コンタクトは、例えば、前記第２中心コンタクトが、前記第１中心コンタクトとの接続部に、バネ性を持つメス受け部を有し、前記第２中心コンタクトのメス受け部に、前記第１中心コンタクトが挿入されていてもよい。このとき、前記第１中心コンタクトは、絶縁性のブッシュにより前記外部コンタクトの円筒状導体部の中心軸上に支持し、前記第２コンタクトは、絶縁性のスペーサーにより前記回転軸の近傍に支持する。
【００２５】
以下、本発明について、図面を参照して実施の形態（実施例）とともに詳細に説明する。
【００２６】
なお、実施例を説明するための全図において、同一機能を有するものは、同一符号を付け、その繰り返しの説明は省略する。
【００２７】
【発明の実施の形態】
（実施例）
図１乃至図８は、本発明による一実施例の直列ユニットの概略構成を示す模式図であり、図１は直列ユニットの正面図、図２は図１の直列ユニットを紙面右方向から見た側面図、図３は図１のＡ−Ａ’線での断面図、図４は図２のＢ−Ｂ’線での断面図、図５は入力端子の特徴を示す模式図、図６は直列ユニットの内部構造を示す模式図で図１の裏面図、図７は入力端子の支持方法を説明するための模式図、図８は直列ユニットの特徴を説明するための斜視図である。なお、図３および図４では、入力端子の断面のみを示している。
【００２８】
図１乃至図８において、１は入力端子、１０１Ａは入力端子の第１中心コンタクト、１０１Ｂは入力端子の第２中心コンタクト（中心コンタクト連結ピン）、１０２は入力端子の外部コンタクト、１０２Ａは入力端子の外部コンタクトの円筒状導体部、１０２Ｂは入力端子の外部コンタクトの突起、２は出力端子、２０２は出力端子の外部コンタクト、２０２Ｂは出力端子の外部コンタクトの突起、３Ａ，３ＢはＴＶ端子、３０１Ａ，３０１ＢはＴＶ端子の中心コンタクト、３０２Ａ，３０２ＢはＴＶ端子の外部コンタクト、４はユニット筐体、４Ａはユニット筐体の支持部、４Ｂは溝、４Ｃはねじ穴、５Ａ，５Ｂは突起、６Ａは第１ブッシュ、６Ｂは第２ブッシュ、７Ａは第１スペーサー、７Ｂは第２スペーサー、８は外部コンタクト支持部材、９Ａ，９Ｂはプリント配線板、１０は裏蓋である。
【００２９】
本実施例の直列ユニットは、図１および図２に示すように、入力端子１および出力端子２、ならびにＴＶ端子３Ａ，３Ｂと、前記入力端子１および前記出力端子２、ならびに前記ＴＶ端子３Ａ，３Ｂを支持するユニット筐体４とにより構成されている。このとき、前記ユニット筐体４の側面部には、突起５Ａ，５Ｂが設けられている。また、図示は省略するが、前記直列ユニットには、前記建物の壁に取り付けるための取り付け枠が設けられている。このとき、前記取り付け枠は、例えば、前記ユニット筐体４の側面部に設けられた突起５Ａに爪を引っ掛けるようにして固定している。
【００３０】
また、前記入力端子１は、中心コンタクト（図示しない）とその周囲に設けられた外部コンタクト１０２とを備える。このとき、前記外部コンタクト１０２は、図３および図４に示すように、円筒状導体部１０２Ａの一端に、前記円筒状導体部１０２Ａの中心軸１０２Ｘと直交する軸の１つが回転軸ＲＸとなるような一対の突起１０２Ｂを有し、かつ、前記突起１０２Ｂの一方と前記円筒状導体部１０２Ａとを連通するように開口されている。
【００３１】
また、前記入力端子１の前記中心コンタクトは、図３および図４に示したように、前記円筒状導体部１０２Ａの中心軸１０２Ｘに沿って設けられた第１中心コンタクト１０１Ａと、前記第１中心コンタクト１０１Ａと電気的に接続され、かつ、前記外部コンタクト１０２の突起１０２Ｂの開口端から突出した第２中心コンタクト（中心コンタクト連結ピン）１０１Ｂとからなる。
【００３２】
このとき、前記第１中心コンタクト１０１Ａは、両端にバネ性をもつメス受け部を有し、前記第１中心コンタクト１０１Ａの一方のメス受け部に、前記第２中心コンタクト１０１Ｂが挿入されている。また、前記第１中心コンタクト１０１Ａは、絶縁性の第１ブッシュ６Ａおよび第２ブッシュ６Ｂにより前記外部コンタクトの円筒状導体部１０２Ａの中心軸１０２Ｘの近傍に支持されており、前記第２中心コンタクト１０１Ｂは、絶縁性の第１スペーサー７Ａおよび第２スペーサー７Ｂにより前記回転軸ＲＸ上に支持されている。またこのとき、図示は省略するが、前記円筒状導体部１０２Ａの外周面にはねじを切ってある。
【００３３】
また、前記第２中心コンタクト１０１Ｂは、前記第１中心コンタクト１０１Ａの一端にあるメス受け部に挟まれた状態になっており、かつ、図５に示すように、前記外部コンタクト１０２の外側でＬ字型に折り曲げられている。このとき、前記第２中心コンタクト１０１Ｂは、図３に示した、前記中心軸１０２Ｘと直交する軸を回転軸ＲＸとして回転させることができる。すなわち、図５に示した、前記第２中心コンタクト１０１Ｂの突出した部分の軸１０１Ｘと前記外部コンタクト１０２の中心軸１０２Ｘのなす角の角度を自由に設定することができる。
【００３４】
また、図示は省略するが、前記出力端子２も、前記入力端子１と同様の構造になっている。
【００３５】
また、前記入力端子１は、図６および図７に示したように、前記ユニット筐体４に設けられた支持部４Ａと、外部コンタクト支持部材８の支持部８Ａで前記外部コンタクトの突起１０２Ｂを挟むようにして支持されている。このとき、前記ユニット筐体４と前記外部コンタクト支持部材８とは、前記外部コンタクト支持部材８の爪（突起）８Ｂを前記ユニット筐体４の溝４Ｂにはめ込み、ねじ穴８Ｃ，４Ｃ部分をねじ止めして固定されている。
【００３６】
またこのとき、前記入力端子１の第２中心コンタクト１０１Ｂは、図６および図７に示したように、前記ユニット筐体４の内部に設けられたプリント配線板９ＡのスルーホールＴＨに挿入され、はんだ付けされる。
【００３７】
また、図示は省略するが、前記出力端子２も、前記入力端子１と同様に、前記ユニット筐体４に設けられた支持部４Ａと、外部コンタクト支持部材８の支持部８Ａで前記外部コンタクトの突起２０２Ｂを挟むようにして支持されている。また、前記出力端子２の第２中心コンタクトも、前記プリント配線板９Ａのスルーホールにはんだ付けされている。
【００３８】
また、詳細な説明は省略するが、前記ＴＶ端子３Ａ，３Ｂの中心コンタクト３０１Ａ，３０１Ｂも、前記入力端子１の第１中心コンタクト１０１Ａと同様にバネ性をもつメス受け部を有し、前記円筒状の外部コンタクト３０２Ａ，３０２Ｂの外周面にはねじを切ってある。
【００３９】
本実施例の直列ユニットでは、前記入力端子１および前記出力端子２から引き出された第２中心コンタクト（中心コンタクト連結ピン）１０１Ｂを回転させることができる。つまり、前記第２中心コンタクト１０１Ｂを前記プリント配線板９Ａにはんだ付けして固定しておけば、前記入力端子１および前記出力端子２を前記回転軸ＲＸで回転させることができる。そのため、本実施例の直列ユニットでは、前記入力端子１および前記出力端子２は、前記外部コンタクトの突起１０２Ｂを支点として、前記入力端子１および前記出力端子２、ならびに前記ＴＶ端子３Ａ，３Ｂの中心コンタクト同士、および外部コンタクト同士の電気的接続を保ちながら、図８に示すように、第１の軸ＡＸ１と第２の軸ＡＸ２の間で、自由な角度に動かすことができる。
【００４０】
図９乃至図１２は、本実施例の直列ユニットの組み立て方法を説明するための模式図であり、図９（ａ）および図９（ｂ）は入力端子および出力端子に用いる外部コンタクトの概略構成を示す斜視図、図９（ｃ）は図９（ｂ）の外部コンタクトを中心軸および回転軸を含む平面で切った断面図、図１０は入力端子および出力端子に用いる外部コンタクトに中心コンタクトを挿入する工程の斜視図、図１１は入力端子および出力端子に用いる外部コンタクトに中心コンタクトおよび連結ピンを挿入した後の外部コンタクトの断面斜視図、図１２は入力端子（出力端子）をユニット筐体に取り付ける工程の斜視図である。
【００４１】
本実施例の直列ユニットを組み立てるときには、まず、前記入力端子１に用いる外部コンタクト１０２を準備する。前記入力端子１に用いる外部コンタクトは、図９（ａ）および図９（ｂ）、ならびに図９（ｃ）に示すように、円筒状導体部１０２Ａの一端に、前記円筒状導体部１０２Ａの中心軸１０２Ｘと直交する軸ＲＸを回転軸として回転するときの支点となる突起１０２Ｂを設ける。またこのとき、図９（ｂ）および図９（ｃ）に示したように、前記突起１０２Ｂの一方から、前記円筒状導体部１０２Ａの内部空間ＯＰ１に連通する開口部ＯＰ２を設けておく。このとき、前記入力端子１に用いる外部コンタクト１０２は、例えば、亜鉛ダイカストなどにより形成する。またこのとき、図示は省略するが、円筒状導体部１０２Ａの外周面は、ねじ切りをしておく。
【００４２】
次に、図９に示すように、前記入力端子１に用いる外部コンタクト１０２の前記円筒状導体部１０２Ａの内部空間ＯＰ１に第１中心コンタクト１０１Ａおよび第１ブッシュ６Ａ、ならびに第２ブッシュ６Ｂを挿入し、前記突起１０２Ｂの開口部ＯＰ２から第１スペーサー７Ａおよび第２スペーサー７Ｂ、ならびに第２中心コンタクト１０１Ｂを挿入する。このとき、前記第１中心コンタクト１０１Ａは、図４に示したように、前記第１ブッシュ６Ａの開口部内を通し、一端が、前記第１スペーサー７Ａと前記第２スペーサー７Ｂの間に入るように挿入する。また、前記第２ブッシュ６Ｂには爪を設けておき、挿入したときに、前記外部コンタクト１０２の内部に設けられた段差部に前記第２ブッシュ６Ｂの爪を引っ掛けて、抜けないように支持する。
【００４３】
また、前記第２中心コンタクト１０１Ｂは、図１１に示すように、前記第２スペーサー７Ｂの開口部を通して前記第１スペーサー７Ａの開口部まで挿入する。このとき、前記第２中心コンタクト１０１Ｂは、前記第１スペーサー７Ａと前記第２スペーサー７Ｂの間にある、前記第１中心コンタクト１０１Ａのメス受け部で挟み、前記第１中心コンタクト１０１Ａと電気的に接続する。
【００４４】
また、繰り返しの説明になるため省略するが、前記入力端子１と同様の手順で前記出力端子２を組み立てる。
【００４５】
また、前記手順で入力端子１および出力端子２を組み立てる一方で、前記入力端子１および出力端子２を取り付ける前記ユニット筐体４を組み立てる。前記ユニット筐体４は、例えば、亜鉛ダイカストなどにより形成する。このとき、Ｔ字型の厚み方向の一方の面から、プリント配線板９Ａ，９Ｂなどを収容するための凹部を形成しておく。またこのとき、前記凹部には、図６に示したように、前記入力端子１および出力端子２の外部コンタクトに設けられた突起を支持するための支持部４Ａを設けておく。
【００４６】
また、図示は省略するが、前記ユニット筐体４の前記凹部を形成した裏面側には、ＴＶ端子３Ａ，３Ｂの外部コンタクト３０２Ａ，３０２Ｂを一体的に形成しておく。また、前記ユニット筐体４の側面部には、例えば、図１および図２に示したような突起５Ａ，５Ｂを一体的に形成しておく。
【００４７】
次に、図示は省略するが、前記ユニット筐体４の前記ＴＶ端子３Ａ，３Ｂの外部コンタクト３０２Ａ，３０２Ｂの内部に、中心コンタクト３０１Ａ，３０１Ｂおよび前記中心コンタクト３０１Ａ，３０１Ｂを支持するためのブッシュを挿入する。また、前記凹部には、前記ＴＶ端子３Ａ，３Ｂの中心コンタクト３０１Ａ，３０１Ｂと、前記入力端子１および出力端子２の第２中心コンタクトを相互に接続するためのプリント配線板９Ａ，９Ｂを取り付ける。またこのとき、前記プリント配線板９Ａ，９Ｂ上の信号用配線と前記ＴＶ端子の中心コンタクト３０１Ａ，３０１Ｂを電気的に接続するとともに、アース用の配線と前記ユニット筐体４を電気的に接続する。
【００４８】
前記手順により組み立てた前記入力端子１および出力端子２を、前記ユニット筐体４に取り付けるとき、例えば、前記入力端子１は、図１２に示すように、前記ユニット筐体４の凹部に設けられた支持部４Ａと前記入力端子１の突起１０２Ｂをあわせ、上から外部コンタクト支持部材８をかぶせた後、ネジなどで前記外部コンタクト支持部材８を前記ユニット筐体４に固定する。このとき、図１１に示すように、前記外部コンタクト支持部材８に突起８Ｂを設けておき、前記ユニット筐体４には前記外部コンタクト支持部材８の突起８Ｂと対応する溝４Ｂを設けておくことにより、前記入力端子１の外部コンタクトの突起１０２Ｂの支持、および前記入力端子１の外部コンタクト１０２と前記ユニット筐体４との電気的接続がより確実になる。
【００４９】
またこのとき、前記入力端子１の第２中心コンタクト１０１Ｂは、図１２に示したように、前記プリント配線板９Ａの挿入穴（スルーホール）ＴＨに挿入し、例えば、はんだ付けにより固定する。
【００５０】
その後、前記ユニット筐体４の凹部を、図８に示したように、裏蓋１０でふさぐと、本実施例の直列ユニットを得られる。
【００５１】
図１３は、本実施例の直列ユニットの使用方法を説明するための模式断面図である。
【００５２】
前記直列ユニットは、通常、建物の壁に埋め込むように取り付けられる。このとき、図１３に示すように、前記壁１１には、前記直列ユニットを埋め込むための埋め込みボックス１２が取り付けられており、前記埋め込みボックス１２の開口部から前記アンテナや中継器（分配器）に接続された同軸ケーブル１３が引き出されている。
【００５３】
前記直列ユニットを前記壁１１に取り付けるときには、前記埋め込みボックス１２に設けられた開口部から引き出された同軸ケーブル１３を、図１３に示すように、前記直列ユニットの入力端子１および出力端子２に接続した後、前記直列ユニットに設けられた取り付け枠１４をねじ１５により前記埋め込みボックス１２に固定する。このとき、前記取り付け枠１４は、前記ユニット筐体４の側面に設けられた突起５Ａと対応する部分に爪１４Ａが設けられており、前記取り付け枠１４の爪１４Ａを前記ユニット筐体４の突起５Ａに引っ掛けて固定しておく。
【００５４】
また、前記壁１１に前記直列ユニットを取り付けた状態では、前記取り付け枠１４、言い換えると前記直列ユニットを埋め込んだ部分が露出した状態になっている。そのため、例えば、図１３に示したように、化粧パネル１６および化粧プレート１７を取り付けて前記直列ユニットを埋め込んだ部分を隠す。このとき、図示は省略するが、前記化粧パネル１６は、例えば、前記ユニット筐体４の側面に設けられた突起５Ｂと対応する部分に爪（図示しない）が設けられており、前記化粧パネル１６の爪を前記ユニット筐体４の突起５Ｂに引っ掛けて固定する。
【００５５】
このとき、本実施例の直列ユニットでは、図８に示したように、前記入力端子１および前記出力端子２が、回転軸ＲＸで回転するので、前記入力端子１および出力端子２が固定された従来の直列ユニットに比べて、前記入力端子１および出力端子２に同軸ケーブル１３を取り付けやすくなる。
【００５６】
また、前記入力端子１および出力端子２に前記同軸ケーブル１３を取り付けた後、前記同軸ケーブル１３を前記壁１１の内側に戻して、前記直列ユニットに設けられた前記取り付け枠１４を前記埋め込みボックス１２にねじ止めするときに、前記入力端子１および出力端子２が回転するため、図１３に示すように、前記同軸ケーブル１３に無理な曲げ変形を加えることなく、前記同軸ケーブル１３を戻すができる。
【００５７】
以上説明したように、本実施例の直列ユニットによれば、前記入力端子１および前記出力端子２が回転するので、前記入力端子１および前記出力端子２を、同軸ケーブルを接続しやすい方向にすることができ、前記入力端子１および前記出力端子２に同軸ケーブル１３を接続するときの作業性が向上する。
【００５８】
また、前記入力端子１および前記出力端子２が回転するので、前記直列ユニットを建物の壁に取り付けるときに、前記入力端子１および前記出力端子２に接続した同軸ケーブルに無理な曲げ変形が加わりにくくなる。そのため、前記埋め込みボックス１２から引き出した同軸ケーブル１３を壁１１の内側に戻すときの作業性が向上する。
【００５９】
また、本実施例の直列ユニットでは、前記入力端子１および前記出力端子２の中心コンタクトは、図３および図４に示したように、前記第１中心コンタクト１０１Ａが、バネ性を持つメス受け部を有し、前記メス受け部で前記第２中心コンタクト１０１Ｂを挟んだが、これに限らず、前記第２中心コンタクト１０１Ｂが、バネ性を持つメス受け部を有し、前記メス受け部に第１中心コンタクト１０１Ａを挟んでもよい。
【００６０】
以上、本発明を、前記実施例に基づき具体的に説明したが、本発明は、前記実施例に限定されるものではなく、その要旨を逸脱しない範囲において、種々変更可能であることはもちろんである。
【００６１】
【発明の効果】
本願において開示される発明のうち、代表的なものによって得られる効果を簡単に説明すれば、以下の通りである。
【００６２】
（１）入力端子および出力端子、ならびにＴＶ端子を有する直列ユニットにおいて、前記入力端子および前記出力端子に同軸ケーブルを接続するときの作業性を向上させることができる。
【００６３】
（２）入力端子および出力端子、ならびにＴＶ端子を有する直列ユニットを建物の壁に取り付けるときの作業性を向上させることができる。
【図面の簡単な説明】
【図１】本発明による一実施例の直列ユニットの概略構成を示す模式図であり、直列ユニットの正面図である。
【図２】本実施例の直列ユニットの概略構成を示す模式図であり、図１の直列ユニットを紙面右方向から見た側面図である。
【図３】本実施例の直列ユニットの概略構成を示す模式図であり、図１のＡ−Ａ’線で切断したときの入力端子の断面図である。
【図４】本実施例の直列ユニットの概略構成を示す模式図であり、図２のＢ−Ｂ’線で切断したときの入力端子の断面図である。
【図５】本実施例の直列ユニットの概略構成を示す模式図であり、入力端子の特徴を説明するための側面図である。
【図６】本実施例の直列ユニットの概略構成を示す模式図であり、直列ユニットの内部構成を示す平面図である。
【図７】本実施例の直列ユニットの概略構成を示す模式図であり、入力端子の支持方法を示す分解図である。
【図８】本実施例の直列ユニットの特徴を説明するための斜視図である。
【図９】本実施例の直列ユニットの組み立て方法を説明するための模式図であり、図９（ａ）および図９（ｂ）は入力端子に用いる外部コンタクトの斜視図、図９（ｃ）は図９（ｂ）の断面斜視図である。
【図１０】本実施例の直列ユニットの組み立て方法を説明するための模式図であり、入力端子の組み立て方法を説明する分解斜視図である。
【図１１】本実施例の直列ユニットの組み立て方法を説明するための模式図であり、入力端子の断面斜視図である。
【図１２】本実施例の直列ユニットの組み立て方法を説明するための模式図であり、入力端子をユニット筐体に取り付ける方法を説明するための斜視図である。
【図１３】本実施例の直列ユニットの使用方法を説明するための模式断面図である。
【図１４】従来の直列ユニットの概略構成を示す模式図であり、直列ユニットの平面図である。
【図１５】従来の直列ユニットの概略構成を示す模式図であり、図１４の直列ユニットを紙面右方向から見た側面図である。
【図１６】従来の直列ユニットの使用方法を説明するための模式断面図である。
【符号の説明】
１…入力端子、１０１Ａ…入力端子の第１中心コンタクト、１０１Ｂ…入力端子の第２中心コンタクト、１０２…入力端子の外部コンタクト、１０２Ａ…入力端子の外部コンタクトの円筒状導体部、１０２Ｂ…入力端子の外部コンタクトの突起、２…出力端子、２０２…出力端子の外部コンタクト、２０２Ｂ…出力端子の外部コンタクトの突起、３Ａ，３Ｂ…ＴＶ端子、３０１Ａ，３０１Ｂ…ＴＶ端子の中心コンタクト、３０２Ａ，３０２Ｂ…ＴＶ端子の外部コンタクト、４…ユニット筐体、４Ａ…ユニット筐体の支持部、４Ｂ…ユニット筐体の溝、４Ｃ…ユニット筐体のねじ穴、５Ａ，５Ｂ…突起、６Ａ…第１ブッシュ、６Ｂ…第２ブッシュ、７Ａ…第１スペーサー、７Ｂ…第２スペーサー、８…外部コンタクト支持部材、８Ａ…外部コンタクト支持部材の支持部、８Ｂ…外部コンタクト支持部材の突起、８Ｃ…外部コンタクト支持部材のねじ穴、９Ａ，９Ｂ…プリント配線板、１０…裏蓋、１１…壁、１２…埋め込みボックス、１３…同軸ケーブル、１４…取り付け枠、１５…ねじ、１６…化粧パネル、１７…化粧プレート。
【図１】
2004039343.tif 000003
【図２】
2004039343.tif 000004
【図３】
2004039343.tif 000005
【図４】
2004039343.tif 000006
【図５】
2004039343.tif 000007
【図６】
2004039343.tif 000008
【図７】
2004039343.tif 000009
【図８】
2004039343.tif 000010
【図９】
2004039343.tif 000011
【図１０】
2004039343.tif 000012
【図１１】
2004039343.tif 000013
【図１２】
2004039343.tif 000014
【図１３】
2004039343.tif 000015
【図１４】
2004039343.tif 000016
【図１５】
2004039343.tif 000017
【図１６】
2004039343.tif 000018